(57)【要約】【課題】常にその中の１つが作動状態にある複数の被作動体を選択的に作動させることができる、小型で簡単な構造で、小さな力で作動させることができる切換機構を提供すること。【解決手段】操作部５を形成する複数の操作釦を選択的に操作することにより回転される回転軸２３と、複数の切換体を有する複数の被作動体を作動させる支軸１９との間に伝達用ギヤ３１を設け、操作釦の操作によって得られた回転力をギヤ比の選定により切換動作に適合した状態に変換して伝達させる。【選択図】      図８
2004340227.tif 000002
【特許請求の範囲】
【請求項１】
本体に配置された複数の切換体を有する被作動体と、前記本体に回動自在に取り付けられた回転軸と、前記回転軸の複数の異なる角度位置に各々設けられた偏心部と、前記偏心部に各々独立に係合して前記偏心部を変位させて前記回転軸を所定の角度だけ選択的に回転させる操作部と、前記回転軸と前記被作動体との間に設けられ前記回転軸の回転力を前記被作動体に伝達する伝達部とから構成されていることを特徴とする切換機構。
【請求項２】
前記伝達部が、ギヤ又はカムからなることを特徴とする請求項１に記載の切換機構。
【請求項３】
前記操作部は、前記偏心部の各々に対応する前記本体に設けられ、押し下げ操作により摺動自在になされた操作釦と、前記操作釦の押し下げ状態でその中に前記対応する偏心部が挿入・係合する凹部と、前記操作釦と前記本体との間に前記操作釦の押し下げ操作力に反発する方向に弾性力を発生する弾性体とを備えてなることを特徴とする請求項１に記載の切換機構。
【請求項４】
前記伝達部は、前記本体に前記被作動体に対応させて摺動自在に摺動体を設け、前記摺動体の一端を前記被作動体に各々連結し、前記摺動体の他端に前記カムを各々対応して当接してなることを特徴とする請求項１又は２に記載の切換装置。
【請求項５】
前記伝達部は、前記被作動体を一端に連結したアームを回動自在に前記本体に設け、前記回動アームの他端を前記カムが回転する範囲で前記カムに当接するように配置してなることを特徴とする請求項１又は２に記載の切換機構。
【請求項６】
前記被作動体は、本体に回動自在に設けられ、前記伝達部により回転力が伝達されて回転される支軸と、前記支軸に連結され前記本体に対して回動自在に設けられた筒体と、前記筒体に形成された流体の流入する単一の入口と、前記入口を共通として前記筒体の周面の異なる角度位置に形成された複数の流体の出口と、前記出口に対応して常に１つが対向する前記本体側の位置に設けた複数の開口とからなる流体の流路を切り換える切換体とを備えていることを特徴とする請求項１又は２に記載の切換機構。
【請求項７】
前記被作動体は、本体に回動自在に設けられ、前記伝達部により回転力が伝達されて回転される支軸と、常に水圧もしくは自重により閉成状態位置に在る複数のボールと、前記支軸の異なる角度位置に設けられ常に前記ボールの１つを蹴って開成状態にするための複数の羽根とからなる切換体を備えてなることを特徴とする請求項１又は２に記載の切換機構。
【請求項８】
前記本体が浄水器の多方切替弁であり、前記被作動体が弁であることを特徴とする請求項１〜７の何れかに記載の切換機構。
【請求項９】
前記本体が電気スイッチであり、前記被作動体が電機接点であることを特徴とする請求項１〜５の何れかに記載の切換機構。
【発明の詳細な説明】
【０００１】
【発明の属する技術分野】
本発明は、複数の切換体を有する被作動体を選択的に切換作動させる切換機構に関し、特に多数の流体用の弁や多数の電気的な接点等を有する装置に適用するのに好適な切換機構に関するものである。
【０００２】
【従来の技術】
従来、この種の選択作動機構としては、例えば、下記特許文献１で示すように水道蛇口に取り付けて使用される浄水器の多方弁に用いられている。この多方弁は常に１つの弁が開いた状態をとっており、押釦の操作で弁の開閉を選択的に行うようになっている。具体的には、ボール式の多方弁であり、第１流出口と第２流出口を開閉する第１ボールと第２ボールとが設けられ、これら第１ボールと第２ボールとを当接支持する当接部材のスライド動作により交互に開閉位置を取るようになっている。
【０００３】
そして、当接部材をスライドさせる往復軸を押釦で往復動させている。この往復軸は必ず２つの位置を取らなければならない。一方の位置を取るためにはスプリングの付勢力を用いて達成し、他方の位置を取るためには押釦の操作によりスプリングの付勢力に逆らって他方の位置に移動させ保持するようになっている。
【０００４】
一方の位置を取るためのスプリングとしては、位置の保持だけでなく振動、衝撃にも影響されないように十分な弾性力を有する必要がある。そして、他方の位置を取るための手段はスプリングの弾性力に加えて振動、衝撃に耐え得る強固なものが必要である。そのため、スプリングにはコイルスプリングを用い、押釦の駐止手段としてバネ材と切り欠き等の係合により達成したものだけでなく、確実に位置を維持するために往復軸と同軸に回転するカム機構等からなる一時停止手段を設けている。
【０００５】
【特許文献１】
特開平１１−２１７８５８号公報（段落［００２１］、段落［００２３］、段落［００３２］及び段落［００３４］）
【発明が解決しようとする課題】
しかしながら、上述した従来の技術においては、弁を開閉する２つの位置を取るにあたり、一方の位置はスプリングの弾性力を用い、他方の位置はスプリングの弾性力に逆らって位置の保持を達成する構造の機構を用いるだけでなく、不用意に発生する振動、衝撃に耐え得うるだけのものでなければならないため、弾性力の大きなスプリングと強固な駐止手段、一時停止手段を必要とするので、構造が複雑になりコスト高となる。また、この従来の技術では、常に強い弾性力が作用しているので操作に大きな力を要し、操作を円滑に行うことが難しいだけでなく、磨耗による劣化や故障の原因になる等の問題があった。
【０００６】
そこで、本発明は、上記の問題点に鑑みてなされたものであり、複数の切換体を有した被作動体を選択的に切換作動させる切換機構において、簡単な構造で、円滑な切換操作を達成できる切換手段を提供することを目的とする。
【０００７】
【課題を解決するための手段】
上記目的は以下の構成により達成し得る。すなわち、本願の請求項１に係る発明によれば、本体に配置された複数の切換体を有する被作動体と、前記本体に回動自在に取り付けられた回転軸と、前記回転軸の複数の異なる角度位置に各々設けられた偏心部と、前記偏心部に各々独立に係合して前記偏心部を変位させて前記回転軸を所定の角度だけ選択的に回転させる操作部と、前記回転軸と前記被作動体との間に設けられ前記回転軸の回転力を前記被作動体に伝達する伝達部とから構成されている切換機構が提供される。
【０００８】
係る構成によれば、前記操作部の操作によって回転される前記回転軸の回転動作が伝達部でもって前記被作動体に伝達されるため、前記被作動体の切換体による切換動作に適した伝送手段を選定することにより簡単な構成で容易に切換機構を得ることができる。
【０００９】
また、本願の請求項２に係る発明によれば、前記伝達部が、ギヤ又はカムからなる切換手段が提供される。係る構成によれば、前記回転軸の回転力をギヤ比を変えることにより前記切換体による切換動作に適した回転角度、回転トルクで切換操作に供することができるようになり、或いは前記回転動作を前記カムにより直接的に被動作体に伝達して切換動作に供することができるため、構造が簡単な切換機構を提供できるようになる。
【００１０】
また、本願の請求項３に係る発明によれば、前記操作部は、前記偏心部の各々に対応する前記本体に設けられ、押し下げ操作により摺動自在になされた操作釦と、前記操作釦の押し下げ状態でその中に前記対応する偏心部が挿入・係合する凹部と、前記操作釦と前記本体との間に前記操作釦の押し下げ操作力に反発する方向に弾性力を発生する弾性体とを備えてなる切換機構が提供される。係る構成によれば前記操作釦は常時その凹部に前記偏心部が挿入されて係合されていないため、前記操作釦の押し下げ操作を行う際に他の操作釦が負荷とならず少ない力で操作ができる切換機構を提供できる。
【００１１】
また、本願の請求項４に係る発明によれば、前記伝達部は、前記本体に前記被作動体に対応させて摺動自在に摺動体を設け、前記摺動体の一端を前記被作動体に各々連結し、前記摺動体の他端に前記カムを各々対応して当接してなる切換機構が提供される。係る構成によれば、前記回転軸の回転力は前記カムにより直接的に前記摺動体の摺動動作に変換して切換動作を達成させるため、小型で構造簡単な切換機構を提供することができる。
【００１２】
また、本願の請求項５に係る発明によれば、前記伝達部は、前記被作動体を一端に連結したアームを回動自在に前記本体に設け、前記回動アームの他端を前記カムが回転する範囲で前記カムに当接するように配置してなる切換機構が提供される。かかる構成によれば、前記回転軸の回転力は前記カムにより直接的に前記被作動体を作動させる前記アームの回動動作に変換し簡単な構成で伝達出来るだけでなく、その回転力を前記アームの支点の位置を調整することにより容易に調整できる切換機構を提供できる。
【００１３】
また、本願の請求項６に係る発明によれば、前記被作動体は、本体に回動自在に設けられ、前記伝達手段により回転力が伝達されて回転される支軸と、前記支軸に連結され前記本体に対して回動自在に設けられた筒体と、前記筒体に形成された流体の流入する単一の入口と、前記入口を共通として前記筒体の周面の異なる角度位置に形成された複数の流体の出口と、前記出口に対応して常に１つが対向する前記本体側の位置に設けた複数の開口とからなり流体の流路を切換る切換体とを備えている切換機構が提供される。かかる構成によれば、前記切換体は前記操作部の操作によって回転される前記筒体に単一の入口、複数の出口を設けるだけで形成できるため、簡単な構成で流路切換用の弁に好適な切換機構を提供できる。
【００１４】
また、本願の請求項７に係る発明によれば、前記被作動体は、本体に回動自在に設けられ、前記伝達手段により回転力が伝達されて回転される支軸と、常に自重により閉成状態位置に在る複数のボールと、前記支軸の異なる角度位置に設けられ常に前記ボールの１つを蹴って開成状態にするための複数の羽根とからなる切換体を備えてなる切換機構が提供される。かかる構成によれば、前記ボールは転がりによる移動のため抵抗が転がり摩擦だけとなり、少ない操作力で切換操作ができる切換機構を提供できる。
【００１５】
更に、本願の請求項８に係る発明によれば、前記本体が浄水器の多方切替弁であり、前記被作動体が弁である切換機構が提供される。かかる構成によれば、簡単な構成により軽い力で容易に流路を切り換えでき、磨耗や劣化が少ない浄水器の切換機構を提供できる。
【００１６】
更にまた、本願の請求項９に係る発明によれば、前記本体が電気スイッチであり、前記被作動体が電機接点である切換機構が提供される。かかる構成によれば、簡単な構成により軽い力で容易に接点を切り換えでき、磨耗や劣化が少ない電機接点の切換機構を提供し得る。
【００１７】
【発明の実施の形態】
以下、本発明の実施の形態について図面を参照しながら説明する。
（実施例１）
図１は本発明の実施例１における適用例である水道蛇口に取り付けられる多方弁からなる弁本体を用いた浄水器を示す正面図、図２は図１における弁本体の平面図、図３は図１における弁本体の右側面図、図４は図１における弁本体の底面図、図５は図２におけるＡ−Ａ線断面図、図６は図３におけるＢ−Ｂ線断面図、図７は図２におけるＣ−Ｃ線断面図、図８は図２におけるＤ−Ｄ線断面図、図９は本発明の実施例１における切換体の斜視図である。
【００１８】
図１の正面図において、浄水器１は、弁本体２と濾過部３とから構成されており、弁本体２は上面部分で水道の蛇口４に取り付けられるようになっている。そして、弁本体２は内部に３つの水路が形成されており、これら水路には詳細は後述するが、前方上面に設けた操作部５によって作動される切換弁が配されている。弁本体２の下面には、第１の吐出口６ａと第２の吐出口６ｂが設けられ、第１の吐出口６ａは第１の水路に連なっており、第２の吐出口６ｂは第２の水路に連なっている。濾過部３の下面には第３の吐出口６ｃが設けられており、濾過部材を介して第３の水路に連なっている。
【００１９】
蛇口４の上流には周知の止水栓７が設けられている。前述した弁本体２に配置された弁の開閉状態は、常に１つの弁が開成し他の２つが閉成した状態にあり、どの弁が開成されるかは操作部５の操作によって選択的になされる。そのため、止水栓７の開成時には、少なくとも１つの吐出口から水の吐出がなされ、全ての吐出を止めるには止水栓７による止水によって達成される。
【００２０】
弁本体２の外観は、図２の平面図及び図３の側面図に示したとおり、上面には蛇口４（図１参照）に連結される連結口８が形成されている。この連結口８には、シール９、リング１０及びキャップ１１が設けられ、弁本体２を蛇口４に着脱自在に取り付けられるようになっている。弁本体２の側面には濾過部３に連結される第３の水路の開口部が形成されている。操作部５は、第１〜第３の操作釦１２ａ〜１２ｃで形成されている。そして、第２の吐出口６ｂには、図４に示したとおり、多数の小孔が形成されたシャワー部材１３が取り付けられている。
【００２１】
次に、図５〜図９の弁本体内部を示す断面図を用いて、複数の切換体としての弁からなる被作動体とこれを作動させる機構とを具体的に説明する。弁本体２内には中空部１４が形成されている。この中空部１４は、その上部で連結口８に連なり、下部に台座パッキン１５が配されている。また、弁本体２内には、各々独立して第１〜第３の水路１６ａ〜１６ｃが設けられ、第１〜第３の水路１６ａ〜１６ｃはそれぞれは第１〜第３の吐出口６ａ〜６ｃに連なっている。
【００２２】
台座パッキン１５には、第１〜第３の水路１６ａ〜１６ｃのそれぞれの上端開口１７ａ〜１７ｃが形成されている。更に、台座パッキン１５上には、これに密接して第１〜第３の上端開口１７ａ〜１７ｃを塞ぐ単一の被作動体を構成する筒体１８が配置され、この筒体１８は支軸１９によって弁本体２に回動自在に取り付けられている。この筒体１８には、第１〜第３のそれぞれの回動角度位置において第１〜第３の上端開口１７ａ〜１７ｃに対向する第１〜第３の出口２０ａ〜２０ｃが形成されている。このようにして筒体１８は、弁本体２の切換体としての弁を構成しており、更に、第１〜第３の回動角度位置のいずれにおいても中空部１４に開かれた入口２１が形成されている。一方、弁本体２の側面には第３の水路１６ｃと濾過部３とを連結する連結口２２が設けられている。このような構成により、第１〜第３の吐出口６ａ〜６ｃは、それぞれ連結口８、中空部１４、入口２１、第１〜第３の出口２０ａ〜２０ｃ、第１〜第３の上端開口１７ａ〜１７ｃ及び第１〜第３の水路１６ａ〜１６ｃを介して連なっている。
【００２３】
図６、図７の断面図で示すように、操作部５の下方には弁本体２に回動自在に回転軸２３が設けられている。この回転軸２３は、特に図９の要部を示す斜視図で明らかなように、第１の操作釦１２ａの下方に対応する回転軸２３の第１の角度位置に第１の偏心部２４ａが、第２の操作釦１２ｂの下方に対応する回転軸２３の第２の角度位置に第２の偏心部２４ｂが、更に、第３の操作釦１２ｃの下方に対応する回転軸２３の第３の角度位置に第３の偏心部２４ｃが、それぞれ設けられている。
【００２４】
図７の断面図で示すように、第１〜第３の操作釦１２ａ〜１２ｃは、弁本体２に上下に移動可能に取り付けられ、各々が弁本体に固定された釦台２５との間に介挿されたスプリング２６によって常時上方に偏移されている。また、第１〜第３の操作釦１２ａ〜１２ｃには第１〜第３の凹部２７ａ〜２７ｃが形成されている。そして、第１〜第３の操作部１２ａ〜１２ｃのいずれかを押し下げると、第１〜第３のいずれかの凹部２７ａ〜２７ｃ内に第１〜第３の偏心部２４ａ〜２４ｃのいずれかが挿入されて係合し、支軸１９が所定の角度だけ回転するようになっている。
【００２５】
回転軸２３には第１のギヤ２８が設けられ、筒体１８側の支軸１９には第２のギヤ２９が設けられ、この第１のギヤ２８と第２のギヤ２９との間には中間ギヤ３０が設けられている。このようにして、第１のギヤ２８、中間ギヤ３０及び第２のギヤ２９により伝達用ギヤ３１が形成され、回転軸２３の回転力は伝達用ギヤ３１、支軸１９を介して筒体１８に伝達されるようになっている。この伝達用ギヤ３１のギヤ比は、下記の回転角度の変換と、筒体１８を回転するのに十分な回転トルクを発生させるように設定されている。即ち、第１〜第３の偏心部２４ａ〜２４ｃが第１〜第３の操作釦１２ａ〜１２ｃのいずれかにより変位されて得られる回転軸２３の所定の回転角度は、第１〜第３の出口２０ａ〜２０ｃのいずれかが対応する上端開口１７ａ〜１７ｃのいずれかに対向される筒体１８の回転角度に変換されるように設定されている。ここで、第１〜第３の操作釦１２ａ〜１２ｃは、使用者が押し下げた後に手を離せばスプリング２６の弾発力によって上方の原位置に復帰するようになっている。
【００２６】
次に、本発明の実施例１における動作について説明する。弁本体２は常に１つの弁が開成し他の２つの弁が閉成した状態にあるが、図５〜９においては第２の操作用押し釦１２ｂが押し下げられた場合を示している。第２の操作用押し釦１２ｂを押し下げることにより、第２の偏心部２４ｂは第２の凹部２７ｂに係合されて変位され回転軸２３を回転させる。この回転力は伝達用ギヤ３１を介して支軸１９に伝達され、筒体１８が回転され第２の回動位置とされて第２の出口２０ｂが第２の上端開口１７ｂに対向され、中空部１４と第２の水路１６ｂとが連通される。これに対し、第１の出口２０ａと第１の上端開口１７ａ及び第３の出口２０ｃと第３の上端開口１７ｃとは一致しない状態となされている。
【００２７】
この状態で止水栓７を開き、蛇口４より連結口８内に水道水を供給すれば、水道水は、中空部１４、入口２１より弁の開成状態になっている第２の出口２０ｂに至り、第２の上端開口１７ｂを通って第２の水路１６ｂに進入し、第２の吐出口６ｂからシャワー部材１３を介してシャワーとして吐出される。
【００２８】
このシャワー使用状態から直接に原水の使用状態としたい場合は、第１の操作用押し釦１２ａを押し下げればよい。この押し下げ操作により、第１の偏心部２４ａは第１の凹部２７ａに係合されて変位され、回転軸２３を回転させる。この回転力は、伝達用ギヤ３１を介して支軸１９に伝達され、筒体１８が回転されて第１の回動位置とされ、第１の出口２０ａが第１の上端開口１７ａに対向され、中空部１４と第１の水路１６ａとが連通される。これに対し、第２の出口２０ｂと第２の上端開口１７ｂ及び第３の出口２０ｃと第３の上端開口１７ｃとは一致しない状態となる。この押し下げ操作によって第１の出口２０ａが下方に移動することにより、供給されている水道水は、第１の上端開口１７ａから第１の出口２０ａに至り、第１の水路１２ａに進入して第１の排水口６ａから吐出される。
【００２９】
次に、水道水を濾過部３を通して浄水として使用したい場合は、第３の操作用押し釦１２ｃを押し下げる。この押し下げ操作により、第３の偏心部２４ｃは、第３の凹部２７ｃに係合されて変位され、回転軸２３を回転させる。この回転力は伝達用ギヤ３１を介して支軸１９に伝達され、筒体１８が回転されて第１の回動位置とされ、第３の出口２０ｃが第３の上端開口１７ｃに対向され、中空部１４と第３の水路１６ｃとが連通される。これに対し、第１の出口２０ａと第１の上端開口１７ａ、第２の出口２０ｂと第２の上端開口１７ｂとは一致しない状態となる。この押し下げ動作によって供給されている水道水は弁の開成状態になっている第３の出口２０ｃに至り、連結口２２を介して濾過部３に供給され、濾過されて浄水として第３の排水口６ｃから吐出される。
【００３０】
上述したように本発明の実施例１によれば、第１〜第３の操作釦１２ａ〜１２ｃを選択的に押し下げれば、その押し下げられた操作釦に対応する偏心部が変位される。即ち、第１の偏心部２４ａ、第２の偏心部２４ｂ及び第３の偏心部２４ｃの選択的な変位による回転軸２３が選択的に所定の角度だけ回転され、この回転力が伝達用ギヤ３１により支軸１９に伝達され、第１の出口２０ａと第１の上端開口１７ａとの一致、第２の出口２０ｂと第２の上端開口１７ｂとの一致及び第３の出口２０ｃと第３の上端開口１７ｃとの一致が選択的になされて弁の開閉が切換られる。この切換動作は、伝達用ギヤ３１による回転軸２３の回転力を最適な回転角度、回転トルクに変換されて伝達される。
（実施例２）
次に、本発明の実施例２について、図１０の弁本体の断面図、図１１の要部の斜視図に基づき説明するが、実施例１と同一構成部分については同じ符号を付与することとしてその詳細な説明は省略する。
【００３１】
弁本体２の中空部１４は、その底面が湾曲状となっており、底に第１〜第３の上端開口１７ａ〜１７ｃが形成されている。中空部１４内には、支軸１９が配されており、第１〜第３の上端開口１７ａ〜１７ｃのそれぞれ上方の支軸１９には第１〜第３の羽根３２ａ〜３２ｃが互いに所定の角度を隔てて設けられている。また、第１及び第３の上端開口１７ａ及び１７ｃ上には、第１及び第３の羽根３２ａ及び３２ｃの一方の面側で常に自重により第１及び第３の上端開口１７ａ及び１７ｃを塞ぐ第１及び第３のボール３３ａ及び３３ｃが配されている。
【００３２】
また、第２の上端開口１７ｂ上には、第２の羽根３２ｂの両面で常に自重により第２の上端開口１７ｂを塞ぐ一対の第２のボール３３ｂ及び３３ｂ’が配されている。第１〜第３の操作釦１２ａ〜１２ｃによる第１〜第３の偏心部２４ａ〜２４ｃの選択的な変位によって回転される回転軸２３の回転力は、伝達用ギヤ３１によって支軸１９に伝達されるが、この回転力は第１又は第３の操作釦１２ａ又は１２ｃの押し下げによるものは第１又は第３の羽根３２ａ又は３２ｃが第１の上端開口１７ａ又は１７ｃを塞いでいた第１又は第３のボール３３ａ又は３３ｃを蹴ってそこを開放する回動位置に変換される。同様に、第２の操作釦１２ｂの押し下げによる回動力は、第２の羽根３２ｂが第２の上端開口１７ｂ上に位置される回動位置に変換され、第２の上端開口１７ｂを塞いでいた一対の第２のボール３３ｂ又は３３ｂ’を蹴ってそこを開放するようになっている。
【００３３】
上述したように、本発明の実施例２によれば、第１〜第３の操作釦１２ａ〜１２ｃの何れかを選択的に押し下げれば、その押し下げられた操作釦に対応する偏心部が変位される。即ち、第１〜第３の偏心部２４ａ〜２４ｃの選択的な変位により、回転軸２３が選択的に所定の角度だけ回転され、この回転力は伝達用ギヤ３１により支軸１９に伝達され、第１の羽根３２ａによる第１の上端開口１７ａ上から第１のボール３３ａの蹴飛ばし、第２の羽根３２ｂによる第２の上端開口１７ｂ上からの第２のボール３３ｂないしは３３ｂ’の蹴飛ばし，第３の羽根３２ｃによる第３に上端開口１７ｃ上からの第３のボール３３ｃの蹴飛ばしが選択的になされて弁の開閉が切換られる。この切換動作は、伝達用ギヤ３１による回転軸２３の回転力を最適な回転角度、回転トルクに変換されて伝達される。そして、この回転トルクは、第１のボール３３ａ、第２のボール３３ｂないしは３３ｂ’及び第３のボール３３ｃが転がり摩擦だけであるため、小さくて済む。
（実施例３）
次に、本発明の実施例３について、図１２のカム部分を示す正面図、図１３の図１２におけるＥ−Ｅ線、Ｆ−Ｆ線及びＧ−Ｇ線の断面図、図１４の閉成状態を示す説明図及び図１５の開成状態を示す説明図に基づき説明するが、実施例１と同一の構成部分については同一の符号を付与することとしてその詳細な説明は省略する。
【００３４】
回転軸２３上には、第１〜第３の偏心部２４ａ〜２４ｃに対応してカム状の第１〜第３の突起３４ａ〜３４ｃを設ける。図１４及び図１５においては第１の上端開口１７ａを代表として図示しているが、第１の上端開口１７ａ上には第１のボール３３ａが常に第１の上端開口１７ａを塞ぐように位置している。弁本体２には一端が第１のボール３３ａに当接し、他端が第１の突起３４ａに当接した第１の摺動杆３５ａが摺動自在に取り付けられている。
【００３５】
そして、第１の摺動杆３５ａは常時弱いスプリング３６によって他端が第１の突起３４ａに当接する程度に偏移されている。第１の操作釦１２ａが矢印Ｘ方向に押し下げられることにより回転する回転軸２３に付された第１の突起３４ａは、摺動杆３５ａの他端を押圧して摺動させ、この摺動杆３５ａの一端が第１のボール３３ａを突いて第１の開口部１７ａを開放するようになっている。ここでは図示されていないが、第２の上端開口１７ｂと第３の上端開口１７ｃ部分にも、第１の摺動杆３５ａに相当する第２の摺動杆、第３の摺動杆が同様の構成をもって設けられている。
【００３６】
上述したように本発明の実施例３によれば、第１〜第３の操作釦１２ａ〜１２ｃを選択的に押し下げれば、その押し下げられた操作釦に対応する偏心部が変位される。即ち、第１〜第３の偏心部２４ａ〜２４ｃの選択的な変位により回転軸２３が選択的に所定の角度だけ回転され、第１〜第３の突起３４ａ〜３４ｃによる第１〜第３の上端開口１７ａ〜１７ｃ上からの第１〜第３のボール３３ａの突き出しが選択的になされて弁の開閉が切換られる。この切換動作は、第１〜第３の操作釦１２ａ〜１２ｃにより操作される回転軸２３の回転力をカムにより直接に第１〜第３のボール３３ａ〜３３ｃの突き出しに供する摺動動作に変換しているため、機構の構成が簡単で小型化を達成できる。また、操作に要する力は、第１〜第３のボール３３ａ〜３３ｃの転がり摩擦だけであるため、小さくて済む。
（実施例４）
次に、本発明の実施例４について、図１６のカム部分を示す正面図、図１７の図１６におけるＨ−Ｈ線、Ｉ−Ｉ線及びＪ−Ｊ線の断面図、図１８の閉成状態を示す説明図及び図１９の開成状態を示す説明図に基づき説明するが、実施例１と同一の構成部分については同じ符号を付与することとしてその詳細な説明は省略する。
【００３７】
回転軸２３上には、第１の偏心部２４ａに対応して第１の突起３７ａ、第２の偏心部２４ｂに対応して第２の突起３７ｂ及び第３の偏心部２４ｃに対応して第３の突起３７ｃが設けられている。図１８と図１９においては第１の上端開口１７ａ部分を代表として図示しているが、第１の上端開口１７ａと第１の突起３７ａとの間に第１のアーム３８ａを支点３９により回動自在に設け、一端に設けた被作動体である第１の弁４０ａが常に第１の上端開口１７ａを塞ぐように回動位置させている。そして、第１の操作釦１２ａが矢印Ｘ方向に押し下げられることにより回転する回転軸２３に付された第１の突起３７ａは、第１のアーム３８ａの他端を押圧して回動させて第１の弁４０ａが第１の上端開口１７ａを開成するようになっている。ここで、図示されていないが、第２の上端開口１７ｂと第３の上端開口１７ｃ部分にも、第１のアーム３８ａ、第１の弁４０ａに相当する第２のアーム、第３のアーム、第２の弁、第３の弁が同様の構成でもって設けられている。
【００３８】
上述したように本発明の実施例４によれば、第１〜第３の操作釦１２ａ〜１２ｃを選択的に押し下げれば、その押し下げられた操作釦に対応する偏心部が変位される。即ち、第１〜第３の偏心部２４ａ〜２４ｃの選択的な変位により回転軸２３が選択的に所定の角度だけ回転され、第１〜第３の突起３４ａ〜３４ｃによる第１〜第３のアーム３８ａ〜３８ｃの回動により第１〜第３の弁４０ａ〜４０ｃを変位させて第１〜第３の上端開口１７ａ〜１７ｃを開口することが選択的になされて弁の開閉が切換られる。この切換動作は、第１〜第３の操作釦１２ａ〜１２ｃにより操作される回転軸２３の回転力をカムにより直接に第１〜第３のアーム３８ａ〜３８ｃの回動動作に変換しているため、機構の構成が簡単で小型化を達成できる。また、操作に要する力は、支点の位置を変更することにより調整できる。
【００３９】
なお、上述した本発明の各実施例においては、水の弁開閉動作のための作動機構に適用したものを示したが、これに限定されることなく、電気回路を開閉する複数のスイッチのための作動機構、各種の部材に関連する複数の被作動体を作動させる作動機構等に適用することも可能である。
【００４０】
また、上述した本発明の各実施例においては、被作動部材としては３種のものであるが、これに限定されることなく、２種若しくは４種以上のものであってもよい。更に、本発明の各実施例においては、被作動体の作動状態とは弁の開成状態としたが、この作動状態とは、例えば電気回路のスイッチにおいてオン状態に限らずオフ状態とするものであってもよい等、他の被作動体と反対の状態にあるものであれば等しく適用可能である。
【００４１】
【発明の効果】
以上説明したように、本発明によれば、操作部の操作によって回転される回転軸の回転動作が伝達部でもって被作動体に伝達されるため、被作動体の切換体による切換動作に適した伝達手段を選定することにより、簡単な構成の切換機構を得ることができ、また、小型でかつ少ない操作力で切換操作ができる切換機構を提供できるようになる。
【図面の簡単な説明】
【図１】本発明の実施例１における切換機構を適用した浄水器の外観を示す正面図である。
【図２】図１における弁本体の平面図である。
【図３】図１における弁本体の右側面図である。
【図４】図１における弁本体の底面図である。
【図５】図２におけるＡ−Ａ線断面図である。
【図６】図３におけるＢ−Ｂ線断面図である。
【図７】図２におけるＣ−Ｃ線断面図である。
【図８】図２におけるＤ−Ｄ線断面図である。
【図９】本発明の実施例１における要部を示す斜視図である。
【図１０】本発明の実施例２における弁本体の断面図である。
【図１１】本発明の実施例２における要部を示す斜視図である。
【図１２】本発明の実施例３におけるカム部分を示す正面図である。
【図１３】図１２におけるＥ−Ｅ線、Ｆ−Ｆ線及びＧ−Ｇ線の断面図である。
【図１４】本発明の実施例３における要部の閉成状態を示す説明図である。
【図１５】本発明の実施例３における要部の開成状態を示す説明図である。
【図１６】本発明の実施例４におけるカム部分を示す正面図である。
【図１７】図１６におけるＨ−Ｈ線、Ｉ−Ｉ線及びＪ−Ｊ線の断面図である。
【図１８】本発明の実施例４における要部の閉成状態を示す説明図である。
【図１９】本発明の実施例４における要部の開成状態を示す説明図である。
【符号の説明】
１              浄水器
２              弁本体
３              濾過部
５              操作部
６ａ〜６ｃ        第１〜第３の吐出口
８              連結口
９              シール
１１              キャップ
１２ａ〜１２ｃ    第１〜第３の操作釦
１４              中空部
１５              台座パッキン
１６ａ〜１６ｃ    第１〜第３の水路
１７ａ〜１７ｃ    第１〜第３の上端開口
１８              筒体
１９              支軸
２０ａ〜２０ｃ    第１〜第３の出口
２１              入口
２２              連結口
２３              回転軸
２４ａ〜２４ｃ    第１〜第３の偏心部
２５              釦台
２６              スプリング
２７ａ〜２７ｃ    第１〜第３の凹部
２８              第１のギヤ
２９              第２のギヤ
３０              中間ギヤ
３１              伝達用ギヤ
３４ａ〜３４ｃ    第３の突起
【図１】
2004340227.tif 000003
【図２】
2004340227.tif 000004
【図３】
2004340227.tif 000005
【図４】
2004340227.tif 000006
【図５】
2004340227.tif 000007
【図６】
2004340227.tif 000008
【図７】
2004340227.tif 000009
【図８】
2004340227.tif 000010
【図９】
2004340227.tif 000011
【図１０】
2004340227.tif 000012
【図１１】
2004340227.tif 000013
【図１２】
2004340227.tif 000014
【図１３】
2004340227.tif 000015
【図１４】
2004340227.tif 000016
【図１５】
2004340227.tif 000017
【図１６】
2004340227.tif 000018
【図１７】
2004340227.tif 000019
【図１８】
2004340227.tif 000020
【図１９】
2004340227.tif 000021